(57)【要約】【課題】撮影レンズ内に高輝度な被写体が入り込んだ場合でも、撮影者の眼を傷めることのないカメラを提供する。【解決手段】本発明に係わるカメラ１は、入射した被写体光Ａを屈折させて射出側に被写体像を結像する撮影レンズ４と、撮影レンズ４により形成された被写体像を撮像する撮像部７と、撮影レンズ４に結像された被写体像を視認可能なファインダー４０と、入射した被写体光Ａ１の輝度を検出する測光センサ３２と、撮像部７により撮像された画像を表示する表示パネル８と、被写体光Ａ１をファインダー４０側へ反射するメインミラー１１と、測光センサ３２で検出された被写体光Ａ１の輝度が所定の閾値以上であるときは、被写体光がファインダー４０へ反射しないようにメインミラー１１を所定方向に回動させるとともに、表示パネル８に撮像部７により撮像された画像を表示させる制御部１５とを備える。【選択図】図１
2010072320.tif 000002
【特許請求の範囲】
【請求項１】
入射した被写体光を屈折させて射出側に被写体像を結像する光学部材と、
前記光学部材により形成された被写体像を撮像する撮像手段と、
前記光学部材により結像された被写体像を視認可能なファインダーと、
入射した被写体光の輝度を検出する測光手段と、
前記撮像手段により撮像された画像を表示する表示手段と、
前記光学部材を通過した被写体光を前記ファインダー側へ反射する反射材からなり、定位置から所定方向に回動自在に構成された回動ミラーと、
前記測光手段で検出された被写体光の輝度が所定の閾値以上であるときは、被写体光が前記ファインダーへ反射しないように前記回動ミラーを所定方向に回動させるとともに、前記表示手段に前記撮像手段により撮像された画像を表示させる制御手段と、
を備えることを特徴とするカメラ。
【請求項２】
請求項１に記載のカメラであって、
前記制御手段は、
前記表示手段に表示させる画像の輝度を減少させること、
を特徴とするカメラ。
【請求項３】
入射した被写体光を屈折させて射出側に被写体像を結像する光学部材と、
前記光学部材により結像された被写体像を視認可能なファインダーと、
入射した被写体光の輝度を検出する測光手段と、
前記光学部材と前記ファインダーとの間に配置されて、電圧の印加により光を全透過または減光する調光機能を備えたパネルと、
前記測光手段で検出された被写体光の輝度が所定の閾値以上であるときは、入射した被写体光の光量が減少するように前記パネルに所定電圧を印加する制御手段と、
を備えることを特徴とするカメラ。
【請求項４】
入射した被写体光を屈折させて射出側に被写体像を結像する光学部材と、
入射した被写体光の輝度を検出する測光手段と、
前記光学部材により結像された被写体像を視認可能なファインダーと、
入射した被写体光を前記ファインダーへ反射させる複数の反射部材からなり、少なくとも一部の前記反射部材が可動自在に構成されたファインダー光学部と、
前記ファインダー光学部の一部の反射部材を駆動する反射部材駆動機構と、
前記測光手段で検出された被写体光の輝度が所定の閾値以上であるときは、被写体像が前記ファインダーに反射しないように前記反射部材駆動機構を駆動させる制御手段と、
を備えることを特徴とするカメラ。
【請求項５】
請求項１から４のいずれか一項に記載のカメラであって、
前記ファインダーの近傍において撮影者の接近を検知する検知手段を備え、
前記制御手段は、
前記測光手段で検出された被写体光の輝度が所定の閾値以上であり、且つ前記検知手段により撮影者の接近が検知されたときのみ、減光のための動作を実行すること、
を特徴とするカメラ。
【発明の詳細な説明】
【技術分野】
【０００１】
本発明は、デジタル一眼レフカメラに関するものである。
【背景技術】
【０００２】
デジタル一眼レフカメラなどのレンズ交換式カメラでは、望遠レンズを装着することにより高倍率な撮影が可能となっている。このような望遠レンズでは被写体像が大きく写し出されるため、撮影中に撮影レンズ内に太陽のような高輝度な被写体が入り込むと、撮影者の眼を傷めるおそれがある。
【０００３】
従来、ファインダーを用いた撮影中に被写体輝度が低くなった場合に、画像を画像表示部に表示するようにしたカメラが知られている（例えば、特許文献１参照）。
【特許文献１】特開２００６−９４１３３号公報
【発明の開示】
【発明が解決しようとする課題】
【０００４】
上記従来例のカメラは、被写体の輝度が低い場合の視認性を向上させることを目的としたものであり、被写体の輝度が高い場合については何ら考慮されていない。したがって、撮影レンズ内に高輝度な被写体が入り込んだ場合でも、撮影者の眼を傷めることがないカメラを提供することが望まれていた。
【０００５】
本発明の課題は、撮影レンズ内に高輝度な被写体が入り込んだ場合でも、撮影者の眼を傷めることのないカメラを提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、入射した被写体光を屈折させて射出側に被写体像を結像する光学部材（４）と、前記光学部材により形成された被写体像を撮像する撮像手段（７）と、前記光学部材により結像された被写体像を視認可能なファインダー（４０）と、入射した被写体光の輝度を検出する測光手段（３２）と、前記撮像手段により撮像された画像を表示する表示手段（８）と、前記光学部材を通過した被写体光を前記ファインダー側へ反射する反射材からなり、定位置から所定方向に回動自在に構成された回動ミラー（１１）と、前記測光手段で検出された被写体光の輝度が所定の閾値以上であるときは、被写体光が前記ファインダーへ反射しないように前記回動ミラーを所定方向に回動させるとともに、前記表示手段に前記撮像手段により撮像された画像を表示させる制御手段（１５）とを備えることを特徴とするカメラである。
請求項２に記載の発明は、請求項１に記載のカメラであって、前記制御手段（１５）は、前記表示手段（８）に表示させる画像の輝度を減少させることを特徴とする。
請求項３に記載の発明は、入射した被写体光を屈折させて射出側に被写体像を結像する光学部材（４）と、前記光学部材により結像された被写体像を視認可能なファインダー（４０）と、入射した被写体光の輝度を検出する測光手段（３２）と、前記光学部材と前記ファインダーとの間に配置されて、電圧の印加により光を全透過または減光する調光機能を備えたパネル（４６）と、前記測光手段で検出された被写体光の輝度が所定の閾値以上であるときは、入射した被写体光の光量が減少するように前記パネルに所定電圧を印加する制御手段（１５）とを備えることを特徴とするカメラである。
請求項４に記載の発明は、入射した被写体光を屈折させて射出側に被写体像を結像する光学部材（４）と、入射した被写体光の輝度を検出する測光手段（３２）と、前記光学部材により結像された被写体像を視認可能なファインダー（４０）と、入射した被写体光を前記ファインダーへ反射させる複数の反射部材からなり、少なくとも一部の前記反射部材が可動自在に構成されたファインダー光学部（２５）と、前記ファインダー光学部の一部の反射部材を駆動する反射部材駆動機構（５３）と、前記測光手段で検出された被写体光の輝度が所定の閾値以上であるときは、被写体像が前記ファインダーに反射しないように前記反射部材駆動機構を駆動させる制御手段（１５）とを備えることを特徴とするカメラである。
請求項５に記載の発明は、請求項１から５のいずれか一項に記載のカメラであって、前記ファインダー（４０）の近傍において撮影者の接近を検知する検知手段（４２）を備え、前記制御手段（１５）は、前記測光手段（３２）で検出された被写体光の輝度が所定の閾値以上であり、且つ前記検知手段により撮影者の接近が検知されたときのみ、減光のための動作を実行することを特徴とする。
なお、符号を付して説明した構成は、適宜改良してもよく、また、少なくとも一部を他の構成物に代替してもよい。
【発明の効果】
【０００７】
本発明によれば、撮影レンズ内に高輝度な被写体が入り込んだ場合でも、撮影者の眼を傷めることのないカメラを提供することができる。
【発明を実施するための最良の形態】
【０００８】
（第１実施形態）
以下、図面を参照して、本発明に係わるカメラの実施形態について説明する。なお、以下に示す各図には、説明と理解とを容易にするために、ＸＹＺの直交座標系を設けた。この座標系では、撮影者が光軸Ａを水平として横長の画像を撮影する場合のカメラ位置（以下、正位置という）において撮影者から見て左側に向かう方向をＸプラス方向とする。また、正位置において上側に向かう方向をＹプラス方向とする。さらに、正位置において被写体に向かう方向をＺ方向とする。
【０００９】
図１は、第１実施形態に係わるカメラ１の断面図である。カメラ１はデジタル一眼レフカメラであり、カメラ本体２と、カメラ本体２に対して着脱自在に装着されるレンズ鏡筒３とを有している。
【００１０】
レンズ鏡筒３は、被写体光Ａが入射する複数の撮影レンズ４及び絞りユニット５が内部に設けられている。撮影レンズ４は、入射した被写体光Ａを屈折させてカメラ本体２側に出射する光学部材である。また、絞りユニット５は、撮影レンズ４を通過する被写体光Ａの光量を調節するものであり、機械的又は電気的に制御されている。なお、図１、図４、図５では、レンズ鏡筒３に入射した被写体光を「被写体光Ａ」と表記し、レンズ鏡筒３を通過してカメラ本体２内へ導かれた被写体光を「被写体光Ａ１」と表記する。
【００１１】
カメラ本体２は、ミラーユニット１０、ファインダー光学系２０、測光光学系３０、ファインダー４０、撮像部７、表示パネル８などを備えている。
【００１２】
表示パネル８はカメラ本体２の背面に設けられ、撮像部７で撮影した被写体像や操作に関連した情報などを表示する液晶ディスプレイによって構成されている。撮像部７で撮影した被写体像を表示パネル８で表示する状態をライブビューという。
【００１３】
ミラーユニット１０は、メインミラー１１及びサブミラー１２を有している。ミラーユニット１０は撮影レンズ４からの光が入射する位置に設けられ、後述するように、ファインダー光学系２０、又はシャッター６及び撮像部７に被写体光Ａ１を入射させる。
【００１４】
メインミラー１１は、被写体光Ａ１をファインダー光学系２０に反射させるものであり、中央部には光の一部を透過させる特性を有する半透過ミラーが用いられている。したがって、メインミラー１１は、被写体光Ａ１の一部を透過させてサブミラー１２に被写体光Ａ１を入射させるようになっている。また、メインミラー１１は、端部に回動部１３を有しており、破線及び実線で示すようにカメラ本体２の内部で回動可能に構成されている。
【００１５】
サブミラー１２は、メインミラー１１を透過した被写体光Ａ１の一部を測距センサ５１に反射させる反射ミラーである。サブミラー１２はメインミラー１１に対して回動可能に取り付けられており、その回動によりメインミラー１１に折り畳まれた状態及びメインミラー１１の裏側で起立した状態となる。測距センサ５１はサブミラー１２の近辺に配置されている。この測距センサ５１は、画面内に設定された所定の測距エリアにおいて被写体像のデフォーカス量を検出するものである。
【００１６】
メインミラー１１及びサブミラー１２は、撮影前においては、破線で示す定位置において、被写体光Ａ１をファインダー光学系２０及び測距センサ５１へそれぞれ反射する。ファインダー光学系２０への反射により、撮影者がファインダー４０において被写体を観察できる状態となる。そして、撮影のために不図示のレリーズボタンが押されると、回動部１３によりメインミラー１１が回動してファインダー光学系２０へ退避し、それと同時にサブミラー１２が回動してメインミラー１１に重なるように折り畳まれて実線の状態となる（ミラーアップ）。これにより、被写体光Ａ１がミラーユニット１０の後側に配置されているシャッター６及び撮像部７に入射されて撮影が可能となる。
【００１７】
シャッター６はミラーユニット１０の後方に配置されており、ミラーユニット１０が撮影可能状態となったときに被写体光Ａ１が入射される。シャッター６は不図示の複数のシャッター羽根を備えており、レリーズボタンなどによる撮影指示に応じてシャッター羽根を開閉させ、撮像部７に被写体光Ａ１を入射する。
【００１８】
撮像部７は、被写体の撮像を行う部分であり、被写体光Ａ１を露光して電気的な画像信号に変換し、不図示の画像処理部へ出力する。撮像部７は、ＣＣＤ、ＣＭＯＳなどの撮像素子により構成される。
【００１９】
ファインダー光学系２０は、ファインダースクリーン２１、ペンタプリズム２２及び接眼レンズ２３を備えている。ファインダースクリーン２１は、ミラーユニット１０の上方に配置されており、ミラーユニット１０で反射された被写体光Ａ１がファインダースクリーン２１に投影されて投影像が形成される。ファインダースクリーン２１上の投影像からの光は、ペンタプリズム２２によって接眼レンズ２３に導かれ、接眼レンズ２３からファインダー４０に導かれる。これにより、撮影者はファインダー４０を覗いて被写体像を観察することができる。ファインダー４０は接眼レンズ２３の後方側に配置されている。また、ファインダースクリーン２１は、投影像からの光の一部を分岐させ、この分岐光をペンタプリズム２２を介して測光光学系３０へ導いている。
【００２０】
測光光学系３０は、プリズムやレンズなどの測光部３１及び測光センサ３２を備えている。測光部３１はペンタプリズム２２からの分岐光を測光センサ３２に入射させるものである。測光センサ３２は、入射した分岐光に基づいて被写体光Ａ１の輝度を検出する。
【００２１】
また、カメラ本体２には、接近検知部４２が設けられている。接近検知部４２は、カメラ本体２の背面側におけるファインダー４０に近接した位置に配置されており、撮影者がファインダー４０に顔を近づけることにより撮影者の接近を検知する検知手段として機能する。接近検知部４２としては、赤外線センサ等を用いることができる。接近検知部４２を設けて撮影者を検知することにより、撮影者がいない場合に後述する被写体光Ａ１の光量制御が回避される。
【００２２】
図２は、カメラ本体２の機能的な構成を示すブロック図である。この図２では、図１と同等部分を同一符号で示している。以下、各部について説明する。
【００２３】
画像処理部１４は、撮像部７から出力された画像信号に対し、ノイズ除去、Ａ／Ｄ変換、色補正処理、サイズ変更、符号化などの処理を行い、デジタルの画像データを作成する。この画像データはＤＲＡＭ１８に一時的に記憶される。
【００２４】
ＥＥＰＲＯＭ１６は、カメラ１の電源がオフしても記憶した情報を保持する不揮発性メモリであり、ユーザ設定やカスタム設定などの入力情報が記憶される。
【００２５】
ＲＯＭ１７は、カメラ１の動作や制御に必要なプログラムのほか、このプログラムの実行に必要な初期値や設定値などが記憶される。
【００２６】
ＤＲＡＭ１８は、カメラ１の電源がオフしたときに記憶した情報が消去される揮発性メモリであり、上述した画像データのほか、画像処理部１４、制御部１５などが処理を行う際に必要なデータが一時的に記憶される。
【００２７】
メモリカードＩ／Ｆ（インターフェース）部１９は、ＤＲＡＭ１８に記憶されている画像データをメモリカード１００に記録し、またメモリカード１００に記録されている画像データを読み出す機能を備えた書き込み／読み出し装置である。このメモリカードＩ／Ｆ部１７の図示しないメモリカードスロットには、メモリカード１００が着脱自在に装着される。
【００２８】
制御部１５は、カメラ１全体の動作を制御する回路であり、マイクロプロセッサにより構成されている。
【００２９】
この制御部１５では、レリーズボタン２４が半押しされると、測距センサ５１で検出された被写体像のデフォーカス量に基づいてレンズ駆動量を演算する。このレンズ駆動量に関する情報をレンズ鏡筒３側の図示しないレンズ制御部へ送信することにより、レンズ鏡筒３のレンズ内モータによる焦点調節がなされる。または、このレンズ駆動量に基づいて図示しないボディ内モータを駆動することにより、カップリング機構を介して駆動力がレンズ鏡筒３側に伝達されて焦点調節がなされるものであってもよい。
【００３０】
また、制御部１５は、測光センサ３２による被写体光Ａ１の輝度や、装着されたレンズ鏡筒３のレンズの種類、開放Ｆ値、焦点距離などのレンズ情報のほか、ユーザにより設定された撮影モード、図示しない感度設定部から入力された感度情報などに基づいて適正な露出値を演算する。そして、その露出値に応じた絞り値とシャッタースピード値を選択し、絞りユニット５や図示しないシャッターユニットへ送信することにより、露出制御がなされる。
【００３１】
また、制御部１５は、測光光学系３０の測光センサ３２によって検出された被写体光Ａ１の輝度が所定の閾値以上であるときは、被写体光がファインダー４０へ反射しないように、メインミラー１１が被写体光Ａ１の光路から退避するように回動部１３を回動制御するとともに、被写体光Ａ１をシャッター６から撮像部７に導いて、撮像部７で撮像した画像を表示パネル８で表示させるように制御している。
【００３２】
なお、制御部１５には、その他にも各種の操作部材や制御回路、検出部などが接続されているが、ここでは図示と説明を省略する。
【００３３】
図３は、第１実施形態のカメラにおける光量調節の処理手順を示すフローチャートである。
【００３４】
ステップＳ１１において、制御部１５は、測光センサ３２で検出された被写体光Ａ１の輝度が所定の閾値以上であるか否かを判断する。ここで、被写体光Ａ１の輝度が所定の閾値以上のときには、ステップＳ１２に移行する。
【００３５】
ステップＳ１２において、制御部１５は、接近検知部４２が撮影者の接近が検知されたかどうかを判断する。ここで、撮影者の接近が検知されないときは、本ルーチンの処理を終了する。この場合は、撮影者がファインダー４０を覗いていないので、被写体光Ａ１の光量調節は行わない。
【００３６】
一方、ステップＳ１２において、撮影者の接近が検知されたときには、制御部１５は、ステップＳ１３へ移行し、回動部１３を制御してメインミラー１１をファインダー光学系２０の方向に回動させるミラーアップを行う。このときには、サブミラー１２はメインミラー１１に重なるように折り畳まれる。このミラーアップにより撮像部７には被写体光Ａ１が入力されるため、撮像部７による被写体の撮像が行われる。
【００３７】
続くステップＳ１４において、制御部１５は、撮像された被写体の画像が表示されるように表示パネル８を制御し、ライブビュー表示を行なう。ライブビュー表示により、撮影者は表示パネル８を見ながら撮影を継続することができる。
【００３８】
なお、本実施形態において、被写体光Ａ１の輝度が所定の閾値未満となったとき、或いは接近検知部４２により撮影者が検知されなくなったときに、制御部１５は、メインミラー１１及びサブミラー１２を元の位置に戻すミラーダウンを行う。これにより、撮影者は再びファインダー４０による被写体の視認が可能となる。
【００３９】
また、以上の制御に加えて、本実施形態においては、表示パネル８が表示する画像の輝度を減少させることができる。すなわち、制御部１５は、被写体光Ａ１の輝度が所定の閾値以上のときに行うライブビュー表示の際に、表示パネル８への電圧等を制御して表示パネル８の画像の輝度を減少させるものである。
【００４０】
以上、本実施形態によると、以下の効果を奏する。
（１）被写体光Ａ１の光量が閾値以上のときは、ミラーアップによりファインダー４０側では被写体光Ａ１が遮断されるため、撮影レンズ４内に高輝度な被写体が入り込んだ場合でも、撮影者の眼を傷めることがない。また、被写体光Ａ１の光量が閾値以上のときにおいては、表示パネル８が被写体の画像を表示するライブビュー表示を行うため、撮影者はファインダー４０を用いることなく撮影を継続することができる。
（２）上記ミラーアップとライブビュー表示の制御は、接近検知部４２が接近を検知したときのみ行い、撮影者の接近がないときは、これらの制御を行わないため、ミラーユニット１０や撮像部７の無駄な作動を防止することができる。
（３）ミラーアップとともに行うライブビュー表示において、画像の輝度を減少させるようにした場合は、表示パネル８側においても、画像輝度が減少するため、撮影者の眼を傷めることがない。
（第２実施形態）
【００４１】
図４は、第２実施形態に係わるカメラ１Ａの断面図である。カメラ１Ａにおけるカメラ本体２Ａの内部には、第１実施形態と同様にミラーユニット１０、シャッター６、撮像部７、ファインダー光学系２０、測光光学系３０及びファインダー４０が配置されている。また、カメラ本体２Ａの背面側には、被写体像や操作情報を表示する表示パネル８が設けられている。
【００４２】
以上に加えて、本実施形態のカメラ本体２Ａには、調光パネル４６が設けられている。調光パネル４６は、ファインダー光学系２０のファインダースクリーン２１の下方（被写体光Ａ１の光路上流側）に配置されており、ファインダースクリーン２１とメインミラー１１との間に位置している。調光パネル４６は液晶パネルからなり、制御部１５(図２)により制御される不図示の電源回路に接続されている。
【００４３】
この調光パネル４６は、電源回路から所定の電圧が印加されることにより、被写体光Ａ１の全部を遮光し、電圧印加がなされないと、被写体光Ａ１の全部が透過するように作動する。ただし、電圧印加と遮光／透過の関係は逆であってもよい。測光センサ３２において検出された被写体光Ａ１の輝度が所定の閾値以上となったとき、制御部１５は電源回路を制御して、被写体光Ａ１の全部が遮光されるように所定の電圧を印加する。また、被写体光Ａ１の輝度が所定の閾値未満となったとき、制御部１５は電源回路を制御して、被写体光Ａ１の全部が透過されるように電圧の印加を停止させる。
【００４４】
本実施形態では、測光センサ３２において検出された被写体光Ａ１の輝度が所定の閾値以上となったとき、制御部１５が電源回路を制御して、被写体光Ａ１を遮光させるように調光パネル４６へ所定の電圧を印加させる。これにより、ファインダー４０へ導かれる被写体光Ａ１が遮断されることになる。したがって、撮影レンズ４内に高輝度な被写体が入り込んだ場合でも、撮影者は眼を傷めることがない。
【００４５】
本実施形態では、調光パネル４６として液晶パネルを用いていることから機械的な駆動部分がない。このため、カメラ本体２への実装が容易となる。また、液晶パネルの種類によっては、被写体光Ａ１を完全に遮光するだけでなく、光量を減光させることもできる。このように減光させた場合、撮影者はまぶしさを感じることなしにファインダー４０内で被写体像を視認することができる。
（第３実施形態）
【００４６】
図５は、第３実施形態に係わるカメラ１Ｂの断面図である。カメラ１Ｂにおけるカメラ本体２Ｂの内部には、第１実施形態と同様にミラーユニット１０、シャッター６、撮像部７、ファインダー光学系２０、測光光学系３０及びファインダー４０が配置され、カメラ本体２Ｂの背面側には、被写体像や操作情報を表示する表示パネル８が設けられている。
【００４７】
本実施形態では、ファインダー光学系２０のペンタプリズム２２の代わりに、反射光学系２５が設けられている。反射光学系２５は、ファインダースクリーン２１側から第１ミラー２６、第２ミラー２７、第３ミラー２８、及び図示しない側面ミラーを組み合わせた構造体として形成されている。これらのミラー２６、２７、２８などの部材は、入射した被写体光Ａ１がファインダー４０に導かれるように被写体光Ａ１を反射するものであり、ペンタプリズム２２と同様に機能するように構成されている。
【００４８】
反射光学系２５における少なくとも一つのミラーは、反射面の角度が変更可能となるように構成されている。本実施形態においては、第１ミラー２６がヒンジ軸２９に支持されており、ヒンジ軸２９が回動することにより、定位置からずれた鎖線で示す変位位置２６ｂまで回動可能となるように構成されている。また、ヒンジ軸２９は、ヒンジ用モータ５３に連結され、ヒンジ用モータ５３はモータ駆動部５５に連結されている。モータ駆動部５５は、制御部１５（図２）に接続されている。そして、制御部１５によって制御されることにより第１ミラー２６が定位置及び変位位置の間で回動するように構成されている。なお、第１ミラー２６が変位位置２６ｂにあるときには、被写体光Ａ１がファインダー４０に入射しないように反射するように設定されるものとする。
【００４９】
本実施形態では、測光センサ３２において検出された被写体光Ａ１の輝度が所定の閾値以上となったとき、制御部１５はモータ駆動部５５を制御する。この制御により、モータ駆動部５５は、ヒンジ用モータ５３を駆動してヒンジ軸２９を介して第１ミラー２６を定位置から変位位置２６ｂまで回動させる。これによれば、被写体光Ａ１がファインダー４０に入射することがないため、撮影レンズ４内に高輝度な被写体が入り込んだ場合でも、撮影者の眼を傷めることがない。
【００５０】
また、本実施形態において、被写体光Ａ１の輝度が所定の閾値未満となったとき、或いは接近検知部４２により撮影者が検知されなくなったときに、制御部１５は、モータ駆動部５５を制御して、第１ミラー２６を定位置まで回動させる。これにより、撮影者は再びファインダー４０による被写体の視認が可能となる。
（変形形態）
【００５１】
以上、説明した実施形態に限定されることなく、以下に示すような種々の変形や変更が可能であり、それらも本発明の範囲内である。
（１）上述した第１実施形態では、被写体光Ａ１の輝度が所定の閾値を超えたときにライブビュー表示を行っているが、被写体光Ａ１の輝度が所定の閾値未満となってもライブビュー表示を継続するようにしてもよい。また、ライブビュー表示において、撮影者が何らかの操作を行ったときにライブビュー表示を終了するようにしてもよい。
（２）ファインダー４０として光学ファインダーを用いた例を示したが、本発明はこれに限定されることなく、ＥＶＦ（エレクトリックビューファインダー）であってもよい。
（３）上記各実施形態では、本発明をカメラ本体に対してレンズ鏡筒が着脱自在に装着されるデジタル一眼レフカメラに適用した例について説明したが、本発明はこれに限定されることなはない。すなわち、少なくともレンズ鏡筒とファインダーを備えたカメラであれば適用可能であり、例えば、高倍率ズームレンズをカメラ本体と一体化しカメラに適用することもできる。
【００５２】
上記の第１実施形態〜第３実施形態は、適宜に組み合わせて用いることもできるが、各実施形態の構成は図示により明らかであるため、詳細な説明は省略する。また、本発明は以上説明した各実施形態によって限定されることはない。
【図面の簡単な説明】
【００５３】
【図１】第１実施形態に係わるカメラの断面図である。
【図２】第１実施形態におけるカメラ本体の機能的な構成を示すブロック図である。
【図３】第１実施形態のカメラにおける光量調節の処理手順を示すフローチャートである。
【図４】第２実施形態に係わるカメラの断面図である。
【図５】第３実施形態に係わるカメラの断面図である。
【符号の説明】
【００５４】
１、１Ａ、１Ｂ：カメラ、５：絞りユニット、７：撮像部、８：表示パネル、１０：ミラーユニット、１１：メインミラー、１３：回動部、１５：制御部、２０：ファインダー光学系、２５：反射光学系、２６：第１ミラー、３２：測光センサ、４０：ファインダー、４２：接近検知部、４６：調光パネル、５５：モータ駆動部
【図１】
2010072320.tif 000003
【図２】
2010072320.tif 000004
【図３】
2010072320.tif 000005
【図４】
2010072320.tif 000006
【図５】
2010072320.tif 000007